(57)【要約】【目的】デスク上でも手軽に植物を楽しめる、花瓶としての機能も備えたペン立てを提供すること。【構成】請求項１に記載のペン立ては、底部と底部から立設された側壁と底部に設けられた突起部とにより成るペン立て本体と、前記突起部に嵌まり込む筒状体とにより構成される。  請求項２に記載のペン立ては、請求項１記載の発明において、筒状体の上端を拡開形状に構成した。  請求項３に記載のペン立ては、請求項１又は請求項２に記載の発明において、筒状体の下部に底部を設けて構成した。【選択図】        図５
2020192693.tif 000002
【特許請求の範囲】
【請求項１】
底部と、底部から立設された側壁と、底部に設けられた突起部とにより成るペン立て本体と、
前記突起部に嵌まり込む筒状体と、
により成るペン立て。
【請求項２】
筒状体の上端を拡開形状にした請求項1に記載のペン立て。
【請求項３】
筒状体の下部に底部を設けた請求項１又は請求項２に記載のペン立て。
【発明の詳細な説明】
【技術分野】
【０００１】
本発明はペン立てに関し、より詳しくは花瓶としての機能も備えたペン立てに関する。
【背景技術】
【０００２】
ペン立ては通常、筒状のものや空洞の直方体形状のものが一般的である。
【０００３】
特許文献１には、装飾物を内蔵した置物と、一体化したペン立てが開示されている。
【０００４】
特許文献２には、オルゴールを内蔵したペン立てが開示されている。
【先行技術文献】
【特許文献】
【０００５】
【特許文献１】実開昭５５−８１６７号公報
【特許文献２】実開昭５５−１４４０９０号公報
【発明の開示】
【発明が解決しようとする課題】
【０００６】
オフィスにおいて、就業者のストレスの解消の需要は大きい。前記特許文献記載の考案は、かかる需要にこたえるべく提示されたものといえる。
【０００７】
ところで、オフィスに観葉植物や花等を置くと、仕事の生産性向上や、ストレスの軽減効果があることで知られている。しかし、デスク上に観葉植物や花等を置くことはスペースの関係上難しいことも多い。
【０００８】
そこで本発明は、デスク上でも手軽に植物を楽しめる、花瓶としての機能も備えたペン立てを提供することを目的とする。
【課題を解決するための手段】
【０００９】
上記の目的を達成する本発明の構成は、以下の通りである。
【００１０】
（１) 請求項１に記載のペン立ては、底部と底部から立設された側壁と底部に設けられた突起部とにより成るペン立て本体と、前記突起部に嵌まり込む筒状体とにより構成される。
【００１１】
（２) 請求項２に記載のペン立ては、請求項１記載の発明において、筒状体の上端を拡開形状に構成した。
【００１２】
（３) 請求項３に記載のペン立ては、請求項１又は請求項２に記載の発明において、筒状体の下部に底部を設けて構成した。
【発明の効果】
【００１３】
上記のように構成される本発明が、如何に作用して課題を解決するかを図面を参照しながら概説する。
【００１４】
本発明にかかるペン立て１００は、図１や図４に示すようにペン立て本体１０と、筒状体２０とにより成るものである。
【００１５】
筒状部２０は、図４や図１０に示すように、突起部１３に嵌め込まれる形状で、ペン立て本体１０に対して着脱自在となるものである。
【００１６】
ペン立て１００におけるペン等を収容する収容部１４は、図４や図１０に示す底部１１、側壁１２及び筒状体２０で囲まれる空間である。一方、花や造花その他の植物などを収容するのは、筒状体２０の収容部２１である。
【００１７】
上記の通り本発明では、ペン等を収容するペン立て本体１０と花等を収容する筒状部２０が一体化していることから、個別に花瓶等を置くスペースを確保する必要がなく、デスク上でも手軽に花等を楽しむことが可能となるものである。
【００１８】
また、上記の通り筒状部２０とペン立て本体１０は着脱自在であることから、花等を収容することで汚れやすい筒状部２０を手軽に取り外し、洗浄することが可能となる。
【００１９】
請求項２に記載の発明は、図７や図１１等に示すように、筒状体２０の上端に存する口部２２を拡開形状に形成してある。より装飾性を高めるためである。
【００２０】
また、筒状体２０内に水をこぼさず入れやすくなるという効果も有する。
【００２１】
請求項３に記載の発明では、筒状体２０の下部に底部２３を設けてある。かかる構成とすることで収容部２１を水密とすることが可能となり、収容部２１に水を入れて生花などを楽しむことが可能となるのである。
【図面の簡単な説明】
【００２２】
【図１】第一実施形態の正面図
【図２】第一実施形態の平面図
【図３】第一実施形態の底面図
【図４】第一実施形態のＡ−Ａ線断面図
【図５】第一実施形態の平面側からの斜視図
【図６】第一実施形態の底面側からの斜視図
【図７】第二実施形態の正面図
【図８】第二実施形態の平面図
【図９】第二実施形態の底面図
【図１０】第二実施形態のＢ−Ｂ線断面図
【図１１】第二実施形態の平面側からの斜視図
【図１２】第二実施形態の底面側からの斜視図
【発明を実施するための形態】
【００２３】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。なお、各図におけるＵとは上方を、Ｄは下方を意味するものである。
【００２４】
本発明にかかるペン立て１００は、ペン立て本体１０と筒状体２０を構成要素とするものである。以下、それぞれにつき詳述する。
【００２５】
ペン立て本体１０は図４や図１０に示すように、底部１１と底部１１の端縁から立設された側壁１２と、底１１部に設けられた突起部１３とにより成るものであり、上部は開放されている。
【００２６】
各図においてペン立て本体１０は、上部に向かって拡開する内部が空洞の円錐台形状となっているが、むろんこれは一例であり、内部が空洞の直方体形状でも、その他内部にペン等を収容することが可能な形態であれば任意の形状を採用できる。
【００２７】
突起部１３の形状は図４や図１０では円筒形状となっているが、筒状体２０を嵌め込み、支持することが可能な形態であれば、例えば爪型でも直方体状でも、その他任意の形態を採用できる。
【００２８】
筒状体２０は、請求項２に記載の発明においては、その上端に存する口部２２を拡開形状に形成してあり、請求項３記載の発明においては、底部２３が設けてある。
【００２９】
ペン立て本体１０、筒状体２０の素材は樹脂や金属・セラミックなどで形成することが好ましいが、むろん他の素材で形成しても構わない。
【符号の説明】
【００３０】
１０・・ペン立て本体
１１・・底部
１２・・側壁
１３・・突起部
１４・・収容部
２０・・筒状体
２１・・収容部
２２・・口部
２３・・底部
１００・・ペン立て
【図１】
2020192693.tif 000003
【図２】
2020192693.tif 000004
【図３】
2020192693.tif 000005
【図４】
2020192693.tif 000006
【図５】
2020192693.tif 000007
【図６】
2020192693.tif 000008
【図７】
2020192693.tif 000009
【図８】
2020192693.tif 000010
【図９】
2020192693.tif 000011
【図１０】
2020192693.tif 000012
【図１１】
2020192693.tif 000013
【図１２】
2020192693.tif 000014
【手続補正書】
【提出日】令和2年9月6日(2020.9.6)
【手続補正１】
【補正対象書類名】特許請求の範囲
【補正対象項目名】全文
【補正方法】変更
【補正の内容】
【特許請求の範囲】
【請求項１】
底部（１１）と、底部（１１）から立設された側壁（１２）と、底部（１１）に設けられた突起部（１３）とにより成るペン立て本体（１０）と、
下部に底部（２３）を備えると共に、底部（２３）から下方に延びる空間（２４）に突起部（１３）を嵌合可能にした筒状体（２０）と、
により成るペン立て。
【手続補正２】
【補正対象書類名】図面
【補正対象項目名】図４
【補正方法】変更
【補正の内容】
【図４】
2020192693.tif 000015
【手続補正３】
【補正対象書類名】図面
【補正対象項目名】図１０
【補正方法】変更
【補正の内容】
【図１０】
2020192693.tif 000016
【手続補正４】
【補正対象書類名】明細書
【補正対象項目名】００３０
【補正方法】変更
【補正の内容】
【００３０】
１０・・ペン立て本体
１１・・底部
１２・・側壁
１３・・突起部
２０・・筒状体
２３・・底部
２４・・空間